(57)【要約】【課題】  ズルシュートを遊技媒体貸出機本体に取り付け後、遊技機の受け皿にあわせてノズルシュートの高さ調整を瞬時に行うことができ、また、遊技機の機種変更時、メンテナンスやメダルの補給などで遊技機の前面扉を開ける際、邪魔になることのない、遊技媒体貸出機およびそのノズルシュートを得る。【解決手段】  ほぼ中央に前記遊技媒体の通路を有して、基端部に球冠部が形成されたノズルと、このノズルの球冠部の外形状にあわせた内球面を有して、遊技媒体貸出機の本体に取り付けられるノズルカバーと、ノズルの球冠部の内形状にあわせた外球面を有して、この外球面とノズルカバーの内球面でノズルの球冠部を挟持するノズルホルダと、を備え、ノズルがその基端部で回動自在にされている。【選択図】  図２
2005296448.tif 000002
【特許請求の範囲】
【請求項１】
隣接して配置される遊技機の受け皿にノズルシュートを介して遊技媒体を払い出す遊技媒体貸出機であって、前記ノズルシュートを構成するノズルの基端部に球冠部が形成され、該球冠部が回動自在に挟持されていることを特徴とする遊技媒体貸出機。
【請求項２】
隣接して配置される遊技機の受け皿に遊技媒体を払い出す遊技媒体貸出機のノズルシュートであって、ほぼ中央に前記遊技媒体の通路を有して、基端部に球冠部が形成されたノズルと、該ノズルの球冠部の外形状にあわせた内球面を有して、前記遊技媒体貸出機の本体に取り付けられるノズルカバーと、前記ノズルの球冠部の内形状にあわせた外球面を有して、該外球面と前記ノズルカバーの内球面で前記ノズルの球冠部を挟持するノズルホルダと、を備え、前記ノズルがその基端部で回動自在にされていることを特徴とする遊技媒体貸出機のノズルシュート。
【請求項３】
前記ノズルの通路の入口端が円筒状で、該入口端と前記遊技媒体貸出機の本体との間に、ほぼ中央に遊技媒体の案内路と、端部に凸球面を有するノズルガイドが介装され、該ノズルガイドの凸球面と前記ノズルの入口端とが隣接していることを特徴とする請求項２に記載の遊技媒体貸出機のノズルシュート。
【発明の詳細な説明】
【技術分野】
【０００１】
本発明は、例えば、スロットマシンのような、メダルを遊技媒体とした遊技機に隣接して設置される遊技媒体貸出機およびそのノズルシュートに関し、さらに詳しくは、多種類の遊技機に対して幅広く適用することが可能な遊技媒体貸出機およびそのノズルシュートに関する。
【背景技術】
【０００２】
パチンコ店などの遊技店には、スロットマシンのような、メダルを遊技媒体とした遊技機が配置されている。そして、貨幣やカードなどでメダルの貸出を行う遊技媒体貸出機としては、遊技機から離れた場所に配置されるスタンドアロン形のもの、または遊技機に隣接して配置されるものが知られている。このうち、遊技機に隣接して配置される遊技媒体貸出機は、遊技を中断するとなくメダルなどの遊技媒体を購入できるので、遊技者にとって便利である。
【０００３】
図４は、遊技機７０とこれに隣接して配置される従来の遊技媒体貸出機５０を示し、（ａ）は正面図、（ｂ）は側面図である。図４で、遊技媒体貸出機５０は、その上部に、貨幣やカードなどを投入する投入口５２と、投入金額やエラーなどを表示する表示部５３が設けられ、また中間には、遊技媒体貸出機５０内のメダルが不足した場合に、遊技店側が遊技媒体貸出機５０内のメダルホッパー（図示せず）にメダルを補給するために開閉する鍵穴５４付きの扉５５と、また下部には、ノズルシュート６０がそのノズル６２を下傾状態にして設けられ、メダルホッパーから送り出された遊技媒体を、ノズル６２の先端部６２ｂから、遊技機７０の受け皿７１に払い出すように構成されている。７２は、メダル（遊技媒体）投入口である。メダルの補給は、遊技媒体貸出機５０のメダルホッパーのみでなく、遊技機７０が島内に配置されている場合、遊技機７０の前面扉７３を日中に何回も開けて行われることが多い。なお、ノズル６２は部品とし、このノズル６２と、後述するノズルカバー、ノズルホルダ、ノズルガイドなどの部品を組み立てたものをノズルシュート６０として説明する。
【０００４】
ところで、機種により遊技機７０の受け皿７３の高さ位置が異なる場合、遊技媒体貸出機５０からの遊技媒体の払い出しが困難となることがある。これを解決しようと、特許文献１（特開２００２−２１０２１５号公報）には、ノズル６２をその軸心回りに回転可能とした遊技媒体貸出機におけるノズルシュートが提案されている。
【０００５】
一方、遊技機７０の機種変更時、メンテナンスやメダルの補給などで遊技機７０の前面扉７３を開ける際、遊技媒体貸出機５０のノズル６２の先端部６２ｂが遊技機７０側に出ていると、作業の邪魔になることがある。これを解決しようと、特許文献２（特開平１１−３４２２５８号公報）には、ノズル６２を水平方向に回転可能とした遊技媒体貸出機およびそのノズルシュートが提案されている。
【０００６】
【特許文献１】特開２００２−２１０２１５号公報
【特許文献２】特開平１１−３４２２５８号公報
【発明の開示】
【発明が解決しようとする課題】
【０００７】
近年の遊技機は遊技者を楽しませるため、その機種も多くなり、また遊技機を頻繁に交換するようになってきている。しかしながら、特許文献１（特開２００２−２１０２１５号公報）に開示される遊技媒体貸出機におけるノズルシュートは、遊技機の受け皿の高さが変化しても遊技媒体を払い出すことは可能であるが、遊技機の機種変更時、メンテナンスやメダルの補給などで遊技機の前面扉を開ける際、邪魔になることがある。一方、上記特許文献２（特開平１１−３４２２５８号公報）に開示される遊技媒体貸出機およびそのノズルシュートでは、遊技機の機種変更により受け皿の高さ位置が大きく変わった場合には対応できないことがある。また、前述したとおり、遊技機の機種も多くなり、また遊技機を頻繁に交換するようになってきているが、遊技媒体貸出機本体からノズルシュートを取り外さなくても、ノズルシュートの上下方向の高さ調整が瞬時に行えるようにすることも求められている。
【０００８】
本発明の課題は、ノズルシュートを遊技媒体貸出機本体に取り付け後、遊技機の受け皿にあわせてノズルシュートの高さ調整を瞬時に行うことができ、また、遊技機の機種変更時、メンテナンスやメダルの補給などで遊技機の前面扉を開ける際、邪魔になることのない、遊技媒体貸出機およびそのノズルシュートを得ることにある。
【課題を解決するための手段】
【０００９】
本発明者は、ノズルシュートを構成するノズルの基端部に球冠部を形成し、この球冠部を回動自在に挟持すれば、上記課題が解決できるとの知見を得、本発明に想到した。
【００１０】
すなわち、第１発明の遊技媒体貸出機は、隣接して配置される遊技機の受け皿にノズルシュートを介して遊技媒体を払い出す遊技媒体貸出機であって、前記ノズルシュートを構成するノズルの基端部に球冠部が形成され、該球冠部が回動自在に挟持されていることを特徴とする。なお、球冠部とは、球冠のみにでなく、表面に凹凸のある球冠などを含むものとする。
【００１１】
上記構成により、ノズルの先端部は、上下方向および左右方向の所定範囲に移動でき、しかもその移動量が大きくなる。したがって、ノズルシュートの上下方向の高さ調整範囲が大きくなり、遊技機の機種変更により受け皿の高さ位置が大きく変わっても、遊技媒体を払い出すことができ、しかも、遊技媒体貸出機の本体からノズルシュートを取り外さなくても、ノズルシュートの上下方向の高さ調整を容易に且つ短時間で行える遊技媒体貸出機となる。また、ノズルシュートの左右方向の調整範囲が大きくなり、遊技機の機種変更時、またはメンテナンスやメダルの補給などで遊技機の前面扉を開ける際、ノズルの先端部が前面扉の前を塞がなくなるので、作業の邪魔にならない遊技媒体貸出機となる。なお、基端部とは、ノズルの根元付近のみでなく、上記機能を有するものであれば、根元から離れたノズルの中間付近を含むものとする。
【００１２】
次に、第２発明に係る遊技媒体貸出機のノズルシュートは、隣接して配置される遊技機の受け皿に遊技媒体を払い出す遊技媒体貸出機のノズルシュートであって、ほぼ中央に前記遊技媒体の通路を有して、基端部に球冠部が形成されたノズルと、該ノズルの球冠部の外形状にあわせた内球面を有して、前記遊技媒体貸出機の本体に取り付けられるノズルカバーと、前記ノズルの球冠部の内形状にあわせた外球面を有して、該外球面と前記ノズルカバーの内球面で前記ノズルの球冠部を挟持するノズルホルダと、を備え、前記ノズルがその基端部で回動自在にされていることを特徴とする。
【００１３】
上記構成とすることで、ノズルの先端部は上下方向および左右方向の所定範囲に移動でき、しかもその移動量が大きくなる。したがって、ノズルシュートの上下方向の高さ調整範囲が大きくなり、遊技機の機種変更により受け皿の高さ位置が大きく変わっても、遊技媒体を払い出すことができ、しかも、遊技媒体貸出機の本体から取り外さなくても、上下方向の高さ調整を容易に且つ短時間で行えるノズルシュートとなる。また、ノズルシュートの左右方向の調整範囲が大きくなり、遊技機の機種変更時、またはメンテナンスやメダルの補給などで遊技機の前面扉を開ける際、ノズルの先端部が前面扉の前を塞がなくなるので、作業の邪魔にならないノズルシュートとなる。
【００１４】
上記第２発明のノズルシュートは、前記ノズルの通路の入口端が円筒状で、該入口端と前記遊技媒体貸出機の本体との間に、ほぼ中央に遊技媒体の案内路と、端部に凸球面を有するノズルガイドが介装され、該ノズルガイドの凸球面と前記ノズルの入口端とが隣接していることを特徴とする。
上記構成のノズルシュートにより、ノズルを、その基端部で上下方向および左右方向に回動しても、ノズルガイドの案内路とノズルの通路とが連通され、遊技媒体を円滑に払い出すことができる。
【発明の効果】
【００１５】
本発明に係る遊技媒体貸出機およびそのノズルシュートによれば、ノズルシュートを遊技媒体貸出機本体に取り付け後、遊技機の受け皿にあわせてノズルシュートの高さ調整を容易に且つ短時間で行うことができ、また、遊技機の機種変更時、メンテナンスやメダルの補給などで遊技機の前面扉を開ける際、邪魔になることがない。
【発明を実施するための最良の形態】
【００１６】
次に、発明の実施の形態の一例を、図１乃至図３に基づいて詳細に説明する。
図１は、実施の形態に係る、遊技機７０に隣接して配置される遊技媒体貸出機１０を示し、（ａ）は正面図、（ｂ）は、ノズルシュート２０のみを断面した側面図である。図１で、遊技媒体貸出機１０は、その上部に、貨幣やカードなどを投入する投入口１２と、投入金額やエラーなどを表示する表示部１３が設けられ、また中間には、遊技媒体貸出機１０内のメダルが不足した場合に、遊技店側が遊技媒体貸出機１０内のメダルホッパー（図示せず）にメダルを補給するために開閉する鍵穴１４付きの扉１５と、また下部には、ノズルシュート２０がそのノズル２２を下傾状態にして設けられ、メダルホッパーから送り出された遊技媒体を、ノズル２２の先端部２２ｂから、遊技機７０の受け皿７１に払い出すように構成されている。なお、７２はメダル（遊技媒体）投入口である。
図１で、遊技媒体貸出機１０は、ノズルシュート２０を構成するノズル２２の基端部２２ａに球冠部２２ｃが形成され、この球冠部２２ｃが回動自在に、ノズルカバー２４とノズルホルダ２３とで挟持されている。そして、ノズル２２の先端部２２ｂは、上下方向および左右方向の所定範囲２０ａに移動でき、しかもその移動量が大きくなっている。したがって、ノズルシュート１０の高さ方向の調整範囲が大きくなり、遊技機７０の機種変更により受け皿７１の高さ位置が大きく変わっても、遊技媒体を払い出すことができ、しかも、遊技媒体貸出機１０の本体１１からノズルシュート２０を取り外さなくても、ノズルシュート２０の上下方向の高さ調整を容易に且つ短時間で行えるようになっている。また、ノズルシュート２０の左右方向の調整範囲が大きくなり、遊技機７０の機種変更時、またはメンテナンスやメダルの補給などで遊技機７０の前面扉７３を開ける際、ノズル２２の先端部２２ａが前面扉７３の前を塞がなくなるので、作業の邪魔にならなくなっている。
【００１７】
図２は、図１の遊技媒体貸出機１０での、矢視Ａで囲むノズルシュート２０を示し、（ａ）は平面図、（ｂ）は側断面図である。また、図３は、図２でのノズルシュート２０を理解し易くするための組み立て前の分解側断面である。図２および図３で、遊技媒体貸出機１０のノズルシュート２０は、ほぼ中央に遊技媒体の通路２２ｇを有して、基端部２２ａに球冠部２２ｃが形成されたノズル２２と、このノズル２２の球冠部２２ｃの外形状２２Ｄにあわせた内球面２４ｄを有して、遊技媒体貸出機１０の本体１１に取り付けられるノズルカバー２４と、ノズル２２の球冠部２２ｃの内形状２２ｄにあわせた外球面２３Ｄを有して、この外球面２３Ｄとノズルカバー２４の内球面２４ｄでノズル２２の球冠部２２ｃを挟持するノズルホルダ２３と、を備えている。ノズルカバー２４には、球冠部２２ｃの外側にあたる範囲にネジ穴２４ｓが形成され、ノズルホルダ２３には、球冠部２２ｃの外側あたる範囲に小ネジ２６の挿通孔を設けたフランジ２３ｆが形成され、フランジ２３ｆとの間に圧縮バネ２５を介装した小ネジ２６を、ネジ穴２４ｓに螺合している。ノズル２２の球冠部２２ｃは、ノズルカバー２４の内球面２４ｄとノズルホルダ２３の外球面２３Ｄの間で、圧縮バネ２５によって挟持されている。そして、ノズル２２は、ノズルカバー２４の開口部２４ｅおよびノズルホルダ２３の開口部２３ｅの範囲で、回動自在となっている。なお、ノズル２２は、延長ノズル２２ｅを接続して構成している。
【００１８】
ノズル２２の通路２２ｇの入口端２２ｓは円筒状とされ、この入口端２２ｓと遊技媒体貸出機１０の本体１１との間に、ほぼ中央に遊技媒体の案内路２１gと、端部に凸球面２１ｓを有するノズルガイド２１が介装され、このノズルガイド２１の凸球面２１ｓとノズル２２の入口端２２ｓとが僅かの間隙を持ち隣接されている。
【００１９】
このため、図２および図３に示すノズルシュート２０は、ノズル２２の先端部２２ａが上下方向および左右方向の所定範囲２０ａに移動でき、しかもその移動量が大きくなっている。したがって、ノズルシュート２０の上下方向の高さ調整範囲が大きくなり、遊技機７０の機種変更により受け皿７１の高さ位置が大きく変わっても、遊技媒体を払い出すことができ、しかも、遊技媒体貸出機１０の本体１１から取り外さなくても、上下方向の高さ調整を容易に且つ短時間で行えるようになっている。また、ノズルシュート２０の左右方向の調整範囲が大きくなり、遊技機７０の機種変更時、またはメンテナンスやメダルの補給などで遊技機７０の前面扉７３を開ける際、ノズル２２の先端部２２ａが前面扉７３の前を塞がなくなるので、作業の邪魔にならなくなっている。
【００２０】
また、ノズル２２を、その基端部２２ａで上下方向および左右方向の所定範囲２０ａに回動しても、ノズルガイド２１の案内路２１ｇとノズル２２の通路２２gとが連通され、遊技媒体を円滑に払い出すことができるようになっている。
【００２１】
ノズルシュート２０の組み立ては、以下のとおり行う。先ず、ノズル２２の球冠部２２ｃを、ノズルカバー２４の内球面２４ｄと、ノズルホルダ２３の外球面２３Ｄとで挟んだ後、圧縮バネ２５を介装しつつ、小ネジ２６をノズルカバー２４のネジ穴２４ｓに螺合させ、ノズル２２、ノズルカバー２４、ノズルホルダ２３を組み立てる。次いで、ノズルガイド２１を、遊技媒体貸出機１０の本体１１の払出口に位置決めして仮止めする。次いで、本体１１に、組み立てられたノズルカバー２４を当て、ノズルカバー２４のネジ穴２４ｓに本体１１の裏から小ネジ２７を螺合し、ノズルカバー２４を取り付ける。その後、延長ノズル２２ｅを取り付けてノズル２２とする。
【産業上の利用可能性】
【００２２】
本発明の遊技媒体貸出機およびそのノズルシュートは、スロットマシンに限らず、パチンコなどの遊技機にも適宜設計を加えることで適用が可能である。
【図面の簡単な説明】
【００２３】
【図１】実施の形態に係る、遊技機７０に隣接して配置される遊技媒体貸出機１０を示し、（ａ）は正面図、（ｂ）は、ノズルシュート２０を断面した側面図である。
【図２】図１の遊技媒体貸出機１０での、矢視Ａで囲むノズルシュート２０を示し、（ａ）は平面図、（ｂ）は側断面図である。
【図３】図２でのノズルシュート２０を理解し易くするための組み立て前の分解側断面である。
【図４】遊技機７０とこれに隣接して配置される従来の遊技媒体貸出機５０を示し、（ａ）は正面図、（ｂ）は側面図である。
【符号の説明】
【００２４】
１０：遊技媒体貸出機
１１：本体
１２：投入口
１３：表示部
１４：鍵穴
１５：扉
２０：ノズルシュート
２０ａ：所定範囲
２１：ノズルガイド
２１ｇ：案内路
２１ｓ：凸球面
２２：ノズル
２２ａ：基端部
２２ｂ：先端部
２２ｃ：球冠部
２２Ｄ：外形状
２２ｄ：内形状
２２ｅ：延長ノズル
２２ｇ：通路
２２ｓ：入口端
２３：ノズルホルダ
２３Ｄ：外球面
２３ｅ：開口部
２３ｆ：フランジ
２４：ノズルカバー
２４ｄ：内球面
２４ｅ：開口部
２４ｓ：ネジ穴
２５：圧縮バネ
２６、２７：小ネジ
５０：遊技媒体貸出機
５２：投入口
５３：表示部
５４：鍵穴
５５：扉
６０：ノズルシュート
６２：ノズル
６２ｂ：先端部
７０：遊技機
７１：受け皿
７２：メダル（遊技媒体）投入口
７３：前面扉
【図１】
2005296448.tif 000003
【図２】
2005296448.tif 000004
【図３】
2005296448.tif 000005
【図４】
2005296448.tif 000006